(57)【特許請求の範囲】
【請求項１】
高所に安全帯を取付けるのに用いられる安全帯取付具であって、
高所に形成された隙間へ上方から挿入係止可能な挿入係止部と、安全帯を直接または間接的に取付可能な安全帯取付部とを、備え、
前記挿入係止部が、
高所に形成された隙間に対し上方から下方へ向けて挿入可能な隙間挿入部と、
該隙間挿入部の先端部に設けられて、前記隙間内の奥部に係止可能な奥部係止部と、
該隙間挿入部の先端近傍に対し、前記隙間の表面に当接保持可能に設けられて、前記奥部係止部との間で隙間部分を挟むように保持する挟着用表面側当接部とを有すると共に、
前記安全帯取付部が、安全帯を直接または間接的に取付可能な取付穴とされたことを特徴とする安全帯取付具。
【請求項２】
前記奥部係止部が、前記隙間の間隔と同じかそれよりも短い張出し長さを有すると共に、
前記挟着用表面側当接部が、前記奥部係止部よりも長い張出し長さを有して、
前記奥部係止部と挟着用表面側当接部とが、前記隙間挿入部の片側から横方向へ向けて突設されたことを特徴とする請求項１に記載の安全帯取付具。
【請求項３】
前記挿入係止部と、前記安全帯取付部とが、板状の取付具本体の下端側と上端側とに離して形成され、
該取付具本体における、前記挿入係止部と、前記安全帯取付部との間に、二枚の取付具本体を背中合わせに配置した状態で互いに連結固定可能な連結部を有することを特徴とする請求項１または請求項２に記載の安全帯取付具。
【請求項４】
高所に安全帯を取付けるのに用いられる安全帯取付具であって、
高所に形成された隙間へ上方から挿入係止可能な挿入係止部と、安全帯を直接または間接的に取付可能な安全帯取付部とを、備え、
前記挿入係止部と、前記安全帯取付部とが、板状の取付具本体の下端側と上端側とに離して形成され、
該取付具本体における、前記挿入係止部と、前記安全帯取付部との間に、二枚の取付具本体を背中合わせに配置した状態で互いに連結固定可能な連結部を有することを特徴とする安全帯取付具。
【請求項５】
前記安全帯取付部に、衝撃荷重を吸収可能な荷重吸収部を設けたことを特徴とする請求項１ないし請求項４のいずれか１項に記載の安全帯取付具。
【請求項６】
前記挿入係止部と、前記安全帯取付部とが一体に設けられたことを特徴とする請求項１ないし請求項５のいずれか１項に記載の安全帯取付具。
【請求項７】
屋根面上に、上下方向に間隔を有して離隔配置されたパネル状物が、屋根面に沿って規則的に複数枚並設された屋根構造において、
請求項１ないし請求項６のいずれか１項に記載された安全帯取付具を、隣接するパネル状物間の相対向する辺部間の隙間に取付けたことを特徴とする屋根構造。
【請求項８】
前記パネル状物が、太陽光発電パネルとされ、
該太陽光発電パネルが、太陽光発電パネルの厚みよりも低い高さで、相対向する辺部どうしが高さ違いとなるように隣接配置されて、
前記安全帯取付具が、高さ違いに設置された前記太陽光発電パネルの相対向する辺部間の隙間に取付けられたことを特徴とする請求項７に記載の屋根構造。
【発明の詳細な説明】
【技術分野】
【０００１】
この発明は、安全帯取付具、および、この安全帯取付具が取付けられた屋根構造に関するものである。
【背景技術】
【０００２】
高所作業を行う際には、作業員の安全を図るために、高所と作業員との間を安全帯（安全ベルト）などで連結する必要がある。
【０００３】
例えば、建物の建築などで高所作業を行う場合、建物の屋根などに、安全帯を取付けるための安全帯取付用部位を備えるようにしたものが知られている（例えば、特許文献１〜特許文献５参照）。
【０００４】
このうち、特許文献１のものは、屋根部の上側に設置された足場に、安全帯取付用部位を設けるようにしている。また、特許文献２および特許文献３のものは、屋根部における余裕スペースなどに対して安全帯取付用部位を設けるようにしている。そして、特許文献４のものは、屋根部に対して太陽光発電パネルを取付けるためのフレームに、太陽光発電パネルよりも外方へ張出すように安全帯取付用部位を設けるようにしている。更に、特許文献５のものは、下段瓦の上端部と上段瓦の下端部との間の上下の重なり部分に、下段瓦の上面に沿って下側から挿入設置可能な安全帯取付用部位を備えるようにしている。
【先行技術文献】
【特許文献】
【０００５】
【特許文献１】特開平５−３３４８０号公報
【特許文献２】特開２００５−３３６９９０号公報
【特許文献３】特開２００６−３４２５９９号公報
【特許文献４】特開２００８−１２７８０５号公報
【特許文献５】実用新案登録第３１７８３４９号公報
【発明の概要】
【発明が解決しようとする課題】
【０００６】
しかしながら、上記各特許文献に記載された安全帯取付手段には、以下のような問題があった。
即ち、特許文献１の場合、屋根部から足場を撤去してしまうと、安全帯取付用部位がなくなってしまう。また、特許文献２および特許文献３のものは、屋根部に余裕スペースがないと、安全帯取付用部位を設けることができない。また、安全帯取付用部位の設置位置が限られてしまう。そして、特許文献４のものは、太陽光発電パネルよりも外方へ張出すようにしか安全帯取付用部位を設けることができないため、安全帯取付用部位の設置可能位置に制限を有している。そのため、屋根部全面に対して太陽光発電パネルを取付けるような場合には、屋根部の隅や端などの限られた位置にしか安全帯取付用部位を設置することができず、不便である。更に、特許文献５のものは、下段瓦と上段瓦との間に上下の重なり部分がないと安全帯取付用部位を設置することができないという問題があり、しかも、安全帯取付用部位に下段瓦の上面に沿った下向きの力が作用した場合に、安全帯取付用部位が上記重なり部分から抜けてしまうおそれがあるなどの問題もあった。
【０００７】
そこで、本発明は、上記した問題点を解決することを、主な目的としている。
【課題を解決するための手段】
【０００８】
上記課題を解決するために、本発明は、
高所に安全帯を取付けるのに用いられる安全帯取付具であって、
高所に形成された隙間へ上方から挿入係止可能な挿入係止部と、安全帯を直接または間接的に取付可能な安全帯取付部とを、備え、
前記挿入係止部が、
高所に形成された隙間に対し上方から下方へ向けて挿入可能な隙間挿入部と、
該隙間挿入部の先端部に設けられて、前記隙間内の奥部に係止可能な奥部係止部と、
該隙間挿入部の先端近傍に対し、前記隙間の表面に当接保持可能に設けられて、前記奥部係止部との間で隙間部分を挟むように保持する挟着用表面側当接部とを有すると共に、
前記安全帯取付部が、安全帯を直接または間接的に取付可能な取付穴とされたことを特徴とする。
【発明の効果】
【０００９】
本発明によれば、上記構成によって、以下のような作用効果を得ることができる。
即ち、安全帯取付具が、上記した挿入係止部と安全帯取付部とを、備えるものとされた。これにより、高所に形成された隙間へ上方から挿入係止部を挿入して係止させ、安全帯取付部に安全帯を直接または間接的に取付けることにより、高所にて簡単確実に安全帯を取付けることが可能となる。しかも、安全帯取付具の構成や高所に対する取付方が簡単なので、安全帯取付具を設置できる場所についての制限を少なくして、高所の様々な位置に比較的自在に安全帯取付具を設置することが可能となる。
そして、挿入係止部を、上記した隙間挿入部と、奥部係止部と、挟着用表面側当接部とを有するものとした。これにより、隙間挿入部を高所に形成された隙間に対して上方から下方へ向け挿入し、隙間挿入部の先端部に設けられた奥部係止部を隙間内の奥部に係止させ、隙間挿入部の先端近傍に設けられた挟着用表面側当接部を隙間の表面に当接させて、奥部係止部との間で隙間部分を挟むように保持させることで、上記したように、隙間部分に確実に挿入係止部を取付けることが可能となる。
また、安全帯取付部を取付穴とした。これにより、取付穴を利用して安全帯を直接または間接的に取付けることが可能となる。
【図面の簡単な説明】
【００１０】
【図１】本発明の実施の形態にかかる高所を示す斜視図である。
【図２】図１の高所の上部の部分的な側方断面図である。
【図３】図２に対して安全帯取付具を取付ける状態を示す部分拡大側面図である。このうち、（ａ）は取付前の状態を示す図、（ｂ）は取付後の状態を示す図である。
【図４】実施例１の安全帯取付具を示すものである。このうち、（ａ）は正面図、（ｂ）は側面図である。
【図５】図４の安全帯取付具と対にして使用される別の安全帯取付具を示すものである。このうち、（ａ）は正面図、（ｂ）は側面図である。
【図６】図４及び図５の安全帯取付具に更に組み合わせて使用される補助金具を示すものである。このうち、（ａ）は側面図、（ｂ）は正面図である。
【図７】高所の実施例としての建物（ユニット建物）の斜視図である。
【図８】図７の建物に取付けられる屋根パネルの分解視斜視図である。
【図９】図７の建物を構築する過程で、建物ユニットに対して屋根パネルを取付けている状態を示す斜視図である。
【図１０】実施例２の安全帯取付具の組み立て状態を示す図である。このうち、（ａ）は平面図、（ｂ）は側面図である。
【図１１】図１０の安全帯取付具の斜視図である。
【図１２】図１１の安全帯取付具を示すものである。このうち、（ａ）は正面図、（ｂ）は側面図、（ｃ）は底面図である。
【図１３】図１１の安全帯取付具と対にして使用される別の安全帯取付具の斜視図である。
【図１４】図１３の安全帯取付具を示すものである。このうち、（ａ）は正面図、（ｂ）は側面図、（ｃ）は底面図である。
【図１５】図１１及び図１３の安全帯取付具に更に組み合わせて使用される補助金具を示すものである。このうち、（ａ）は側面図、（ｂ）は正面図である。
【発明を実施するための形態】
【００１１】
以下、本実施の形態を、図面を用いて詳細に説明する。
図１〜図９は、この実施の形態の実施例１およびその変形例を説明するためのものである。また、図１０〜図１５は、実施例２およびその変形例を説明するためのものである。
【００１２】
高所作業を行う際には、作業員の安全を図るために、図１（図２も併せて参照）に示すように、高所１と作業員２との間を安全帯３（安全ベルト）などで連結する必要がある。そして、高所１に安全帯３を取付けるのに安全帯取付具４を用いるようにする。
【００１３】
ここで、上記についての補足説明を行う。
上記した「高所１」は、高い場所のことである。この高所１は、ここでは、どのような場所であっても良い。なお、高所１の具体例については、後述する。
上記した「作業員２」は、高所１で作業を行う者のことである。
【００１４】
上記した「安全帯３」は、作業員２が身に付けるベルト状の安全具のことである。作業員２は、身に付けた安全帯３の端部を、高所１などに対して連結・接続・固縛することなどによって、安全を図ることになる。安全帯３は、一端部が作業員２の体（例えば、腰など）に固定されると共に、他端部には、安全帯取付具４などに対してワンタッチで取付けることが可能なフック状または環状の連結具（例えば、カラビナなど）が設けられる。
【００１５】
上記した「安全帯取付具４」は、高所１に対して安全帯３などを取付けることができるようにするための取付点となる金具のことである。安全帯取付具４の具体的な構造などについては、後述する。
【００１６】
以下に、具体的な実施例について説明する。
【実施例１】
【００１７】
＜構成＞以下、この実施例の構成について説明する。
（構成１）
図３（図４および図５も併せて参照）に示すように、上記した安全帯取付具４が、高所１に形成された隙間１１へ上方から挿入係止可能な挿入係止部１２と、安全帯３を直接または間接的に取付可能な安全帯取付部１３とを、備えるものとされる。
【００１８】
（補足説明１）
上記した「隙間１１」は、高所１に形成されているものであれば、どのようなものであっても良い。但し、この場合には、高所１に意図的に形成された所定形状の隙間１１とされる。この隙間１１については、後述する。
【００１９】
上記した「挿入係止部１２」は、隙間１１へ上方から挿入して係止できるものであれば、どのようなものであっても良い。但し、この場合には、上記した隙間１１に適合する所定形状を有するものとされる。挿入係止部１２は、隙間１１に対して着脱可能なものとするのが好ましい。挿入係止部１２については、後述する。
【００２０】
上記した「直接」は、安全帯取付具４に対して安全帯３を介在物なくそのまま取付けることであり、また、「間接的」は、図１に示すように、安全帯取付具４に対し親綱１４や子綱１５などの補助具や延長具などを介して、安全帯３を取付けることである。
【００２１】
上記した「安全帯取付部１３」は、安全帯３を取付けるのに必要な形状や構造を有する部分のことである。安全帯取付部１３については、後述する。
【００２２】
（構成２）
上記安全帯取付具４が、上記挿入係止部１２と、上記安全帯取付部１３とを一体に有するものとされた。
【００２３】
（補足説明２）
ここで、上記した「一体に有する」とは、文字通り、上記挿入係止部１２と、上記安全帯取付部１３とが、同一の部品上に同時に設けられることをいう。
【００２４】
（構成３）
上記挿入係止部１２が、  高所１に形成された隙間１１に対し上方から下方へ向けて挿入可能な隙間挿入部２１と、
この隙間挿入部２１の先端部に設けられて、上記隙間１１内の奥部に係止可能な奥部係止部２２と、
この隙間挿入部２１の先端近傍に対し、上記隙間１１の表面に当接保持可能に設けられて、上記奥部係止部２２との間で隙間１１部分を挟むように保持する挟着用表面側当接部２３とを有するものとされる。
そして、上記安全帯取付部１３が、安全帯３を直接または間接的に取付可能な取付穴とされる。
【００２５】
（補足説明３）
ここで、上記した「隙間挿入部２１」は、上記した隙間１１へ上方から挿入できるのであれば、どのようなものであっても良い。隙間挿入部２１の具体的な形状などについては、後述する。
【００２６】
上記した「隙間１１内の奥部」は、文字通り、隙間１１の内部における、奥側の部分のことである。隙間１１内の奥部については、後述する。
上記した「奥部係止部２２」は、隙間１１内の奥部に係止できるものであれば、どのようなものであっても良い。この場合には、隙間１１内の奥部に応じたものとされる。奥部係止部２２の具体的な形状などについては、後述する。
【００２７】
上記した「隙間１１の表面」は、隙間１１の表面側の部分のことである。
上記した「挟着用表面側当接部２３」は、隙間１１の表面に当接保持できるのであれば、どのようなものであっても良い。この場合には、隙間１１の表面の形状に応じたものとされる。
【００２８】
上記した「取付穴」は、安全帯３を直接または間接的に取付けることができるものであれば、どのようなものであっても良い。この場合には、少なくとも安全帯３先端の連結具を取付可能な大きさの丸穴などとされている。
【００２９】
（構成４）
図４に示すように、上記奥部係止部２２が、上記隙間１１の間隔と同じかそれよりも短い張出し長さ３１を有するものとされる。
また、上記挟着用表面側当接部２３が、上記奥部係止部２２よりも長い張出し長さ３２を有するものとされる。
そして、上記奥部係止部２２と挟着用表面側当接部２３とが、上記隙間挿入部２１の片側から横方向へ向けて突設される。
【００３０】
（補足説明４）
ここで、上記した「隙間１１の間隔と同じかそれよりも短い張出し長さ３１」は、奥部係止部２２の張出し長さ３１が上記した隙間１１へ挿入することが可能な長さに形成されることである。なお、奥部係止部２２は、少なくとも、隙間１１内の奥部に係止可能な最低限の張出し長さを有するものとされる。この場合、奥部係止部２２は、隙間１１の間隔に対して、隙間挿入部２１の厚み１〜２枚分程度短い長さなどとされる。
【００３１】
上記した「奥部係止部２２よりも長い張出し長さ３２」は、挟着用表面側当接部２３の張出し長さが、奥部係止部２２の張出し長さ３１よりも長ければ、どのようなものであっても良い。但し、挟着用表面側当接部２３は、奥部係止部２２との間で、隙間１１部分を挟むように保持するのに必要な最低限の張出し長さ３２を有するものとされる。この場合、挟着用表面側当接部２３は、奥部係止部２２と比べて十分に長いもの（奥部係止部２２の３倍程度以上の長さを有するもの）とされている。
【００３２】
上記した「片側から横方向へ向けて突設」は、奥部係止部２２と挟着用表面側当接部２３とが、隙間挿入部２１の片面側に対してのみ設けられていることである。この場合、奥部係止部２２と挟着用表面側当接部２３とは、上記隙間１１部分の奥行き寸法とほぼ同じ間隔を有してほぼ平行に延びている。なお、奥部係止部２２と挟着用表面側当接部２３とは、必ずしも完全な平行である必要はない。
【００３３】
（構成５）
上記挿入係止部１２と、上記安全帯取付部１３とが、板状の取付具本体４１の下端側と上端側とに離して形成される。
そして、この取付具本体４１における、上記挿入係止部１２と、上記安全帯取付部１３との間に、二枚の取付具本体４１を背中合わせに配置した状態で互いに連結固定可能な連結部４２が設けられる。
【００３４】
（補足説明５）
ここで、上記した「取付具本体４１」は、上下方向へ延びるほぼ短冊状の金属板とされる。この取付具本体４１が、高所１の隙間１１と平行に向けられることにより、取付具本体４１の下端側が、上記した隙間挿入部２１とされる。
【００３５】
上記した「背中合わせに配置」は、２枚の取付具本体４１の、奥部係止部２２および挟着用表面側当接部２３が突設されていない側の平坦な面どうしを対向配置すること、または、当接配置することである。なお、２枚の取付具本体４１の間には、後述するような、補助金具４３（図６参照）を介在させるようにしても良い。
【００３６】
上記した「連結部４２」は、連結用の穴部（連結穴）とされる。この連結部４２は、二枚の取付具本体４１を背中合わせに配置して取付けた時に互いに合致する位置に形成されている。連結部４２間には、ボルトやナットなどの締結具４４が取付けられる。この場合、連結部４２は、上下および左右に隔てて合計４箇所形成されている。但し、連結部４２の大きさや個数や配置などは、これに限るものではない。また、連結部４２は必ずしも全てを使用する必要はなく、必要に応じて選択使用することができる。
【００３７】
そして、上記した補助金具４３は、図６に示すように、安全帯取付具４を取付けた隙間１１と直交する別の隙間４５（図１参照）などへ上方から挿入可能な挿入端部４６ａと、上記した取付具本体４１の側縁部を取付具本体４１の面方向に支持する側縁部支持部４６ｂとを有する板状の補助金具本体４６に対して、上記した２枚の安全帯取付具４の挿入係止部１２と安全帯取付部１３との間へ介在可能な介在部４７を取付けた、平面視ほぼＴ字状のものなどとされる。上記した介在部４７には、安全帯取付具４の連結部４２と同様の別の連結部４７ａが形成される。この別の連結部４７ａも、安全帯取付具４の連結部４２に合わせて（上下および左右に隔てて合計４箇所）形成されている。
【００３８】
以上が、安全帯取付具４などの構成である。この安全帯取付具４は、以下のようにして使用される。
【００３９】
例えば、図２に示すように、屋根面５１上に、上下方向に所要の間隔５３を有して離隔配置されたパネル状物５２が、屋根面５１に沿って規則的に複数枚並設された屋根構造に対して、上記した安全帯取付具４を取付ける場合について説明する。
【００４０】
ここで、上記した「屋根面５１」は、図７に示すような建物５４の屋根を構成する面のことである。屋根は、建物５４を太陽光や雨などから保護するために、建物５４の上部に設けられるものである。この場合、後述する屋根葺材６６の上面が屋根面５１となる。建物５４および屋根については、後述する。
【００４１】
上記した「パネル状物５２」は、屋根面５１の上部に配設されたパネル状をした独立の部材のことである。パネル状物５２は、屋根面５１の上部を覆うように設けられた遮蔽物であれば、どのようなものであっても良い（例えば、防雪板など）。具体的なパネル状物５２については、後述する。
【００４２】
上記した「上下方向に間隔５３」は、この場合、全体としてほぼ一定の隙間とされる。
上記した「規則的に配設」は、パネル状物５２が、整然と配置されていることである。この場合、パネル状物５２は、合わせ目の部分に僅少な隙間１１を有して碁盤目状に配置されている。
【００４３】
ここで、図７〜図９などを用いて、建物５４について説明する。この場合、建物５４は、住宅などとされている。住宅などの建物には、例えば、平屋建てや２階建てや３階建て以上のものなど、様々な高さのものが存在している。住宅など建物５４には、各種のものが存在しているが、この場合の建物５４は、ユニット工法によって構築されたユニット建物などとされている。但し、建物５４は、ユニット建物に限るものではない。なお、ユニット工法では、予め工場で製造された複数個の建物ユニットＵを、トラックなどの輸送機関を用いて建築現場へ運び、建築現場で組み立てることによって、図７に示すような、ユニット建物が構築される。
【００４４】
この際、屋根には、図８に示すように、予め工場で製造された屋根パネル６１が使用される。この屋根パネル６１は、内向きＣ字状をした一対の平行な屋根フレーム６２の内面に木桟などの支持材６３を介して野地板６４（下地板）を取付け、この野地板６４の上面および屋根フレーム６２の上面を覆うように、防水シートおよび屋根葺材６６を取付けて成る屋根部材によって主に構成されている。なお、屋根フレーム６２に対して、支持材６３や野地板６４などのガイド材を斜めに取付けることにより、屋根葺材６６に排水勾配を形成することができる。
【００４５】
そして、この屋根部材に対し、上記したパネル状物５２が、工場で予め取付用金具６８を介して取付けられることにより、一体部品としての屋根パネル６１が形成される。この屋根パネル６１は、図９に示すように、複数連接された建物ユニットＵに跨る長さと、所要の幅寸法を有する長尺物とされる。そして、この長尺物の屋根パネル６１は、建物ユニットＵの長辺方向に対して複数枚並設されることで屋根構造が構築される。
【００４６】
このような屋根パネル６１に対して、上記したパネル状物５２は、屋根パネル６１の幅寸法とほぼ等しいかそれよりも若干短い幅寸法を有すると共に、この幅寸法とほぼ同程度の長さ寸法を有する矩形状のものなどとされる。そして、上記したように、このパネル状物５２は、屋根パネル６１における屋根フレーム６２の長手方向に沿い、上記したような狭い隙間１１を有して複数個並べて設置される。また、パネル状物５２と屋根葺材６６との間には、上記したような上下方向にほぼ一定の間隔５３が形成される。
【００４７】
（構成６）
そして、図３に示すように、上記したような安全帯取付具４を、（上記したような屋根パネル６１における）隣接するパネル状物５２間の相対向する辺部間の（合わせ目となる）隙間１１に取付けるようにする。
【００４８】
（補足説明６）
より具体的には、隣接するパネル状物５２間の相対向する辺部間の隙間１１に、安全帯取付具４の隙間挿入部２１を上方から挿入して、奥部係止部２２を一方のパネル状物５２の底面に係止させると共に、挟着用表面側当接部２３を一方のパネル状物５２の表面に当接させて、奥部係止部２２と挟着用表面側当接部２３との間でパネル状物５２の表裏面を挟着保持させるようにする。更に、別の安全帯取付具４を、上記と同様にして他方のパネル状物５２に取付けるようにする。この際、２個の安全帯取付具４は、背中合わせに設置される。
【００４９】
更に必要な場合には、隙間１１を形成している２枚のパネル状物５２の側部に対し、平面視ほぼＴ字状をした補助金具４３を取付けるようにする。
【００５０】
そして、２個の安全帯取付具４の連結部４２の間、または、２個の安全帯取付具４の連結部４２と補助金具４３の連結部４７ａとの間を、締結具４４などを用いて一体に締結固定する。
【００５１】
この際、補助金具４３は、補助金具本体４６の挿入端部４６ａを上記した２つのパネル状物５２間の隙間１１と直交する別の隙間４５へ上方から挿入させて、補助金具本体４６の側縁部支持部４６ｂが２つの安全帯取付具４の取付具本体４１の側縁部を取付具本体４１の面方向に支持するようにする。
【００５２】
（構成７）
更に、上記パネル状物５２が、太陽光発電パネルとされる。
この太陽光発電パネルが、太陽光発電パネルの厚みよりも低い高さで、相対向する辺部どうしが高さ違いとなるように隣接配置される。
上記安全帯取付具４が、高さ違いに設置された上記太陽光発電パネルの相対向する辺部間の隙間１１に取付けられる。
【００５３】
（補足説明７）
ここで、上記した「太陽光発電パネル」は、太陽光によって電気を発生するようにしたパネル状の発電設備のことである。太陽光発電パネルは、特に図示しないが、少なくとも、発電を行うためのパネル本体と、このパネル本体の周縁部に取付けられた取付枠部とを有するものとされる。
上記した「太陽光発電パネルの厚み」は、ほぼパネル本体の周縁部に取付けられた取付枠部の厚みとされる。
【００５４】
上記した「高さ違い」は、排水勾配などを形成するために各太陽光発電パネルを、上記した屋根フレーム６２に対し、傾斜した状態でそれぞれ取付けることにより、隣接する太陽光発電パネルの相対向する辺部間に段差が形成されること、または、形成された段差のことである。各太陽光発電パネルは、図２に示すような、高さの異なる２種類の取付用金具６８（６８ａおよび６８ｂ）によって、傾斜配置される。
【００５５】
この太陽光発電パネルの高さ違いに対応させるため、２つの安全帯取付具４は、太陽光発電パネルに取付けて互いに連結した時に、連結部４２および安全帯取付部１３が互いに合致するように、これらの位置が調整される。そのために、連結部４２および安全帯取付部１３の位置が異なる二種類の安全帯取付具４（Ａ），４（Ｂ）が設けられる。
【００５６】
＜作用＞以下、この実施例の作用について説明する。
高所作業を行う場合、図１に示すように、高所１に形成された隙間１１へ安全帯取付具４を取付けて、安全帯取付具４に直接安全帯３を取付けるようにする。或いは、高所１に形成された隙間１１のいずれかに、複数個の安全帯取付具４を互いに離した状態で取付け、複数の安全帯取付具４の間に親綱１４を掛け渡して、親綱１４に安全帯３を直接取付けたり、または、親綱１４に子綱１５を取付けて、子綱１５を介して安全帯３を間接的に取付けたりする。
これにより、高所１における作業に必要な位置に、比較的自在に安全帯取付具４を設置して、安全帯３を取付けることができるようになる。
【００５７】
＜効果＞この実施例によれば、以下のような効果を得ることができる。
（作用効果１）
安全帯取付具４が、上記した挿入係止部１２と安全帯取付部１３とを、備えたものとされた。これにより、高所１に形成された隙間１１へ上方から挿入係止部１２を挿入して係止させ、安全帯取付部１３に安全帯３を直接または間接的に取付けることにより、高所１にて簡単確実に安全帯３を取付けることが可能となる。しかも、安全帯取付具４の構成や高所１に対する取付方が簡単なので、安全帯取付具４を設置できる場所についての制限を少なくして、高所１の様々な位置に比較的自在に安全帯取付具４を設置することが可能となる。
【００５８】
（作用効果２）
安全帯取付具４が、挿入係止部１２と安全帯取付部１３とを、一体に有するものとされた。これにより、安全帯取付具４の構成を簡略化して小型化を図ることができる。
【００５９】
（作用効果３）
挿入係止部１２を、上記した隙間挿入部２１と、奥部係止部２２と、挟着用表面側当接部２３とを有するものとした。これにより、隙間挿入部２１を高所１に形成された隙間１１に対して上方から下方へ向け挿入し、隙間挿入部２１の先端部に設けられた奥部係止部２２を隙間１１内の奥部に係止させ、隙間挿入部２１の先端近傍に設けられた挟着用表面側当接部２３を隙間１１の表面に当接させて、奥部係止部２２との間で隙間１１部分を挟むように保持させることで、上記したように、隙間１１部分に確実に挿入係止部１２を取付けることが可能となる。
また、安全帯取付部１３を取付穴とした。これにより、取付穴を利用して安全帯３を直接または間接的に取付けることが可能となる。
【００６０】
（作用効果４）
上記奥部係止部２２が、高所１に形成された隙間１１の間隔５３と同じかそれよりも短い張出し長さ３１を有するものとされた。また、挟着用表面側当接部２３が、奥部係止部２２よりも長い張出し長さ３２を有するものとされた。そして、奥部係止部２２と挟着用表面側当接部２３とが、隙間挿入部２１の片側から横方向へ向けて突設された。これにより、上記したような、高所１の隙間１１に対して挿入係止可能な具体的な安全帯取付具４を得ることができる。
【００６１】
（作用効果５）
挿入係止部１２と、安全帯取付部１３とが、板状の取付具本体４１の下端側と上端側とに離して形成された。そして、取付具本体４１における、挿入係止部１２と安全帯取付部１３との間に連結部４２が形成された。これにより、二枚の取付具本体４１を、背中合わせに配置して連結部４２で互いに連結固定するような使い方が可能となる。
【００６２】
そのため、二枚の安全帯取付具４に、これらを面外方向へ傾けようとする力が作用した場合に、対角位置に存在している、一方の安全帯取付具４の奥部係止部２２による係止力と、他方の安全帯取付具４の挟着用表面側当接部２３による当接保持力とが、それぞれ高められることになるので、安全帯取付具４が隙間１１から外れ難くなる。よって、隙間１１から容易に外れない安全帯取付具４を得ることができる。
【００６３】
更に、二枚の安全帯取付具４に対して、上記した補助金具４３を取付けることにより、安全帯取付具４の面方向への傾きに対しても、強い保持力が得られるものとすることができる。
【００６４】
（作用効果６）
屋根面５１上に、上下方向へ所要の間隔５３を有して離隔配置されたパネル状物５２が、屋根面５１に沿って規則的に複数枚並設された屋根構造に対して、安全帯取付具４を取付けるようにした。これにより、隣接するパネル状物５２間の相対向する辺部間の隙間１１は、いたる所に存在しているので、屋根面５１上のどこの位置にでも、上記した安全帯取付具４を取付けることが可能となる。
【００６５】
（作用効果７）
パネル状物５２が太陽光発電パネルとされ、この太陽光発電パネルが、太陽光発電パネルの厚みよりも低い高さで、相対向する辺部どうしが高さ違いとなるように隣接配置された場合であっても、上記した安全帯取付具４を、太陽光発電パネルの相対向する辺部間の高さ違いを有する隙間１１に対して、支障なく、しかも、確実に取付けることができる。よって、屋根面５１の全面に対して太陽光発電パネルを目一杯設置した場合であっても、安全帯取付具４を設置することが可能となり、その分、太陽光発電パネルの設置面積を増やすことができる。
【実施例２】
【００６６】
＜構成＞以下、この実施例の構成について説明する。
図１０は全体の組み立て状態を示す図、図１１、図１２は安全帯取付具４（Ａ′）、図１３、図１４は安全帯取付具４（Ｂ′）、図１５は補助金具４３′を示すものである。
これらの各図に示すように、この実施例の安全帯取付具４（Ａ′）、安全帯取付具４（Ｂ′）、補助金具４３′は、基本的に、上記実施例の安全帯取付具４（Ａ）、安全帯取付具４（Ｂ）、補助金具４３とそれぞれほぼ同様の構成を有するものとされている。よって、上記実施例と同様の構成については、説明を省略する。但し、必要な場合には、上記実施例の記載を以ってこの実施例の記載とすることができる。
【００６７】
この実施例では、例えば、作業員２が高所１から誤って落下した場合などのように、安全帯３を介して安全帯取付具４（Ａ′）や、安全帯取付具４（Ｂ′）や、補助金具４３′に過大な衝撃荷重が作用した際に、この衝撃荷重を吸収可能な荷重吸収部７１を設けるようにしている。
【００６８】
この荷重吸収部７１は、挿入係止部１２に対して、安全帯取付部１３の周辺部分のみが、変形することによって衝撃荷重を吸収するものとされる。荷重吸収部７１による安全帯取付部１３の周辺部分の変形は、主に、衝撃荷重が作用する方向（例えば、安全帯３による引張方向）に対するものとされる。但し、荷重吸収部７１は、衝撃荷重によって挿入係止部１２と安全帯取付部１３とが破断または分離されないようなものとする。
【００６９】
そのために、例えば、安全帯取付具４（Ａ′）、安全帯取付具４（Ｂ′）における板状の取付具本体４１や、補助金具４３′における補助金具本体４６′および介在部４７′の板厚を、挟着用表面側当接部２３の板厚よりも薄くして、荷重吸収用薄肉部となるようにしている。
【００７０】
或いは、特に図示しないが、荷重吸収部７１は、例えば、板状の取付具本体４１や補助金具本体４６′の両側部または一側部を切り欠くことなどによって形成された、荷重吸収用の「くびれ部」などとしても良い。
また、荷重吸収部７１は、例えば、板状の取付具本体４１や、補助金具本体４６′に対し、幅方向へ延びる薄肉溝状部や面外迂回形状部を設けることによって形成された「曲げヒンジ部」などとしても良い。
【００７１】
更に、必要な場合には、挟着用表面側当接部２３の張出し長さ３２′（図１２、図１４参照）を、上記実施例の挟着用表面側当接部２３の張出し長さ３２（通常状態での保持に必要な長さ）よりも長くなるようにする。
【００７２】
加えて、必要に応じて、少なくとも、安全帯取付具４（Ａ′）、安全帯取付具４（Ｂ′）における、高所１の隙間１１部分（図１参照）周辺の表面に当接する部位（即ち、挟着用表面側当接部２３の下面や、隙間挿入部２１の挟着用表面側当接部２３側の面）や、補助金具４３′における別の隙間４５部分（図１参照）周辺の表面に当接する部位（即ち、安全帯取付具４（Ａ′）や、安全帯取付具４（Ｂ′）側の面）に対して、衝撃吸収用のクッション材７３を取付けるようにする。
【００７３】
なお、図１０では、上記した締結具４４に、アイボルトなどを用いるようにしている。このアイボルトは、例えば、上記した親綱１４や子綱１５などを通して固定するのに利用することができるものである。なお、上記した実施例においても、締結具４４にアイボルトを用いても良いことは勿論である。
【００７４】
＜作用効果＞以下、この実施例の作用効果について説明する。
高所作業を行っている最中に、安全帯３を介して安全帯取付具４（Ａ′）や、安全帯取付具４（Ｂ′）や、補助金具４３′に、想定外の過大な衝撃荷重が作用するようなことが生じ得る。
【００７５】
そこで、この実施例２では、安全帯取付具４（Ａ′）、安全帯取付具４（Ｂ′）、補助金具４３′の少なくとも１つに、荷重吸収部７１を設けるようにした。これにより、荷重吸収部７１によって衝撃荷重を吸収することが可能となる。以って、衝撃荷重から、作業員２や、屋根面５１および屋根面５１上に設置されたパネル状物５２などを安全に保護することができる。
【００７６】
そして、荷重吸収部７１として、例えば、安全帯取付具４（Ａ′）、安全帯取付具４（Ｂ′）における板状の取付具本体４１や、補助金具４３′における補助金具本体４６′の板厚を、挟着用表面側当接部２３の板厚よりも薄くする（荷重吸収用薄肉部）ことができる。これにより、衝撃荷重によって、取付具本体４１や補助金具本体４６′の安全帯取付部１３（の周辺）が、挿入係止部１２に対して衝撃荷重が作用する方向（例えば、安全帯３による引張方向）に屈曲変形されることになるので、衝撃荷重を効果的に吸収することができる。
【００７７】
また、挟着用表面側当接部２３の張出し長さ３２′を、上記実施例の挟着用表面側当接部２３の張出し長さ３２よりも長くした。これにより、隙間１１に対する保持強度が向上されるので、安全帯取付部１３の周辺部分の変形に伴って、挿入係止部１２が変形されてしまったり、または、挿入係止部１２が隙間１１部分から外れてしまったりするようなことが防止される。
【００７８】
加えて、少なくとも、安全帯取付具４（Ａ′）、安全帯取付具４（Ｂ′）における隙間１１（図１参照）の表面に対して当接する部分や、補助金具４３′における別の隙間４５（図１参照）の表面に対して当接する部分などに対して衝撃吸収用のクッション材７３を取付けた。これにより、屋根面５１および屋根面５１上に設置されたパネル状物５２などに作用される上記衝撃荷重を効果的に緩和して、パネル状物５２などを保護することができる。
【００７９】
なお、その他の作用効果については、上記実施例と同様であるため説明を省略するが、必要な場合には、上記実施例の記載を以ってこの実施例の記載とすることができる。
【００８０】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００８１】
１  高所
３  安全帯
４  安全帯取付具
１１  隙間
１２  挿入係止部
１３  安全帯取付部
２１  隙間挿入部
２２  奥部係止部
２３  挟着用表面側当接部
３１  張出し長さ
３２，３２′  張出し長さ
４２  連結部
５１  屋根面
５２  パネル状物
５３  間隔
７１  荷重吸収部
【要約】
【課題】主に、高所に対して簡単確実に安全帯を取付けられるようにする。
【解決手段】高所１に安全帯３を取付けるのに用いられる安全帯取付具４に関する。
高所１に形成された隙間１１へ上方から挿入係止可能な挿入係止部１２と、安全帯３を直接または間接的に取付可能な安全帯取付部１３とを、備えるようにしている。
【選択図】図１【図１】
0005584814.tif 000002
【図２】
0005584814.tif 000003
【図３】
0005584814.tif 000004
【図４】
0005584814.tif 000005
【図５】
0005584814.tif 000006
【図６】
0005584814.tif 000007
【図７】
0005584814.tif 000008
【図８】
0005584814.tif 000009
【図９】
0005584814.tif 000010
【図１０】
0005584814.tif 000011
【図１１】
0005584814.tif 000012
【図１２】
0005584814.tif 000013
【図１３】
0005584814.tif 000014
【図１４】
0005584814.tif 000015
【図１５】
0005584814.tif 000016